【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
少なくとも９０％の飽和度を有し、グループＩＩの基油、グループＩＩＩの基油、グループＩＶの基油およびグループＶの基油ならびにこれらの混合物から選択される、主要量の基油と、少量の添加剤パッケージとを含んでなるエンジン油であって、該添加剤パッケージが、
（Ａ）
（ａ）式ＩＶ：
【化１】
2014129523.tif 000001
［式中、Ｒは、約８〜約２２個の炭素原子をもつ、直線状もしくは分枝状の、飽和、不飽和、または一部飽和ヒドロカルビル基である］
の化合物とアルコールとの、１種以上の反応生成物、および
（ｂ）式ＩＩ〜ＩＩＩ：
【化２】
2014129523.tif 000002
［式中、Ｒは約８〜約２２個の炭素原子をもつ、直線状もしくは分枝状の、飽和、不飽和、または一部飽和ヒドロカルビルであり、そしてＲ2とＲ3は独立に、水素、Ｃ1〜Ｃ18ヒドロカルビル基および、１個以上のヘテロ原子を含むＣ1〜Ｃ18ヒドロカルビル基、から選択される］；
【化３】
2014129523.tif 000003
［式中、Ｒは約８〜約２２個の炭素原子をもつ、直線状もしくは分枝状の、飽和、不飽和、または一部飽和ヒドロカルビルであり、そしてＸはアルカリ金属、アルカリ土類金属またはアンモニウム・カチオンであり、そしてｎはカチオンＸの原子価である］；
の１種以上の化合物：
から選択される摩擦修正剤成分、並びに
（Ｂ）少なくとも１種の金属ジアルキル・ジチオホスフェート塩：
を含んでなる、エンジン油。
【請求項２】
添加剤パッケージが、式ＩＶの化合物とアルコールとの、少なくとも１種の反応生成物を含んでなる、請求項１のエンジン油。
【請求項３】
式ＩＶの化合物とアルコールとの、少なくとも１種の反応生成物が、式Ｉ：
【化４】
2014129523.tif 000004
［式中、Ｒは約８〜約２２個の炭素原子をもつ、直線状もしくは分枝状の、飽和、不飽和、または一部飽和ヒドロカルビルであり、そしてＲ1は水素、約１〜約８個の炭素原子をもつヒドロカルビルまたは、１個以上のヘテロ原子を含むＣ1〜Ｃ8ヒドロカルビル基、である］の１種以上の化合物を含んでなる、請求項２のエンジン油。
【請求項４】
添加剤パッケージが１種以上の、式ＩＩの化合物を含んでなる、請求項１のエンジン油。
【請求項５】
添加剤パッケージが少なくとも１種の、式ＩＩＩの塩を含んでなる、請求項１のエンジン油。
【請求項６】
添加剤パッケージが、１種以上の式ＩＶの化合物とのアルコールの反応生成物、および式ＩＩ〜ＩＩＩの化合物から独立に選択される、少なくとも２種の異なる化合物を含んでなる、請求項１のエンジン油。
【請求項７】
Ｒ1が約１〜約８個の炭素原子をもつヒドロカルビル基である、請求項３および６のいずれか１項のエンジン油。
【請求項８】
Ｒ1が、１個以上のヘテロ原子を含むＣ1〜Ｃ8ヒドロカルビル基を含むヒドロカルビル基である、請求項３および６のいずれか１項のエンジン油。
【請求項９】
Ｒ2とＲ3が独立に、水素、Ｃ1〜Ｃ18ヒドロカルビル基および、１個以上のヘテロ原子を含むＣ1〜Ｃ18ヒドロカルビル基、から選択される、請求項４および６のいずれか１項のエンジン油。
【請求項１０】
Ｒ2とＲ3が独立に、水素およびＣ4〜Ｃ8ヒドロカルビル基から選択される、請求項４および６のいずれか１項のエンジン油。
【請求項１１】
式ＩＩＩの１種以上の化合物が、ナトリウム、リチウム、カリウム、カルシウム、マグネシウムおよびアミンから選択される１種以上のカチオンの塩である、請求項５および６のいずれか１項のエンジン油。
【請求項１２】
少なくとも９０％の飽和度を有し、グループＩＩの基油、グループＩＩＩの基油、グループＩＶの基油およびグループＶの基油ならびにこれらの混合物から選択される、主要量の基油と少量の添加剤パッケージとを含んで潤滑油であって、該添加剤パッケージが、
（Ａ）式ＩＶ：
【化５】
2014129523.tif 000005
［式中、Ｒは、約８〜約２２個の炭素原子をもつ、直線状もしくは分枝状の、飽和、不飽和、または一部飽和ヒドロカルビル基である］の化合物と、式Ｖ：
【化６】
2014129523.tif 000006
［式中、Ｒ2、Ｒ3およびＲ4は、独立に、水素、Ｃ1〜Ｃ18ヒドロカルビル基および、Ｃ3〜Ｃ12ヒドロカルビル基および１個以上のヘテロ原子を含む炭化水素、から選択される］のアミンとの１種以上の反応生成物；並びに
（Ｂ）少なくとも１種の金属ジアルキル・ジチオホスフェート塩：
を含んでなる、エンジン油。
【請求項１３】
少なくとも９０％の飽和度を有し、グループＩＩの基油、グループＩＩＩの基油、グループＩＶの基油およびグループＶの基油ならびにこれらの混合物から選択される、主要量の基油と少量の添加剤パッケージとを含んでなる潤滑油であって、該添加剤パッケージが、
（Ａ）式ＩＶ：
【化７】
2014129523.tif 000007
［式中、Ｒは、約８〜約２２個の炭素原子をもつ、直線状もしくは分枝状の、飽和、不飽和、または一部飽和ヒドロカルビル基である］の１種以上の化合物と、アルカリ金属の水酸化物およびアルカリ土類金属の水酸化物、アルカリ金属の酸化物、アルカリ土類金属の水酸化物、アンモニア、アミンまたはそれらの混合物、との反応生成物である、１種以上の塩；並びに
（Ｂ）少なくとも１種の金属ジアルキル・ジチオホスフェート塩：
を含んでなる、エンジン油。
【請求項１４】
少なくとも９０％の飽和度を有し、グループＩＩの基油、グループＩＩＩの基油、グループＩＶの基油およびグループＶの基油ならびにこれらの混合物から選択される、主要量の基油と少量の添加剤パッケージとを含んでなる潤滑油であって、該添加剤パッケージが、
（Ａ）式ＩＶ：
【化８】
2014129523.tif 000008
［式中、Ｒは、約８〜約２２個の炭素原子をもつ、直線状もしくは分枝状の、飽和、不飽和、または一部飽和ヒドロカルビル基である］の１種以上の化合物と、１種以上のアミンアルコールとの、１種以上の反応生成物；並びに
（Ｂ）少なくとも１種の金属ジアルキル・ジチオホスフェート塩：
を含んでなる、エンジン油。
【請求項１５】
Ｒが約１０〜約２０個の炭素原子を有する、請求項１〜１４のいずれか１項のエンジン油。
【請求項１６】
Ｒが約１２〜約１８個の炭素原子を有する、請求項１〜１４のいずれか１項のエンジン油。
【請求項１７】
添加剤パッケージが更に、抗酸化剤、消泡剤、モリブデン含有化合物、チタン含有化合物、リン含有化合物、粘度指数向上剤、流動点降下剤、および希釈油よりなる群から選択される少なくとも１種の添加剤を含んでなる、請求項１〜１６のいずれか１項のエンジン油。
【請求項１８】
少なくとも２種の金属ジアルキル・ジチオホスフェート塩を含んでなる、請求項１〜１７のいずれか１項のエンジン油。
【請求項１９】
金属ジアルキル・ジチオホスフェート塩の金属が、アルカリ金属、アルカリ土類金属、アルミニウム、鉛、錫、モリブデン、マンガン、ニッケル、銅、チタンおよび亜鉛よりなる群から選択される、請求項１〜１８のいずれか１項のエンジン油。
【請求項２０】
金属ジアルキル・ジチオホスフェート塩上のアルキル基が１〜１８個の炭素原子を含む、請求項１〜１９のいずれか１項のエンジン油。
【請求項２１】
少なくとも１種の金属ジアルキル・ジチオホスフェート塩のアルキル基が、独立に、エチル、ｎ−プロピル、ｉ−プロピル、ｎ−ブチル、ｉ−ブチル、ｓｅｃ−ブチル、アミル、ｎ−ヘキシル、ｉ−ヘキシル、ｎ−オクチル、デシル、ドデシル、オクタデシル、２−エチルヘキシル、フェニル、ブチルフェニル、シクロヘキシル、メチルシクロペンチル、プロペニルおよびブテニルから選択される、請求項１〜１９のいずれか１項のエンジン油。
【請求項２２】
少なくとも１種の金属ジアルキル・ジチオホスフェート塩のアルキル基の１００モルパーセントが第一級アルコールから誘導される、請求項１〜２１のいずれか１項のエンジン油。
【請求項２３】
少なくとも１種の金属ジアルキル・ジチオホスフェート塩のアルキル基の１００モルパーセントが第二級アルコールから誘導される、請求項１〜２１のいずれか１項のエンジン油。
【請求項２４】
少なくとも１種の金属ジアルキル・ジチオホスフェート塩のアルキル基が第一級および第二級アルコール双方から誘導される、アルキル基の混合物を含んでなる、請求項１〜２１のいずれか１項のエンジン油。
【請求項２５】
少なくとも１種の金属ジアルキル・ジチオホスフェート塩が以下の式：
【化９】
2014129523.tif 000009
［式中、Ｒ5およびＲ6は、１〜１８個の炭素原子を含む、同様なまたは異なるヒドロカルビル基であることができる］
により表される、少なくとも１種の亜鉛ジアルキル・ジチオホスフェートを含んでなる、請求項１〜１８のいずれか１項のエンジン油。
【請求項２６】
請求項１〜２５のいずれか１項に請求されるようなエンジン油を使用して、エンジンを潤滑する工程を含んでなる、エンジン内の薄膜および境界層の摩擦を改善する方法。
【請求項２７】
改善される薄膜および境界層の摩擦が、１種以上の摩擦修正剤成分の不存在下における同一組成物に関連して決定される、請求項２６に請求されるような方法。
【請求項２８】
請求項１〜２５のいずれか１項に請求されるようなエンジン油を使用して、エンジンを潤滑する工程を含んでなる、エンジン内の境界層の摩擦を改善する方法。
【請求項２９】
改善される境界層の摩擦が１種以上の摩擦修正剤成分の不存在下における同一組成物に関連して決定される、請求項２８に請求される方法。
【請求項３０】
請求項１〜２５のいずれか１項に請求されるようなエンジン油を使用して、エンジンを潤滑する工程を含んでなる、エンジン内の薄膜の摩擦を改善する方法。
【請求項３１】
改善される薄膜の摩擦が、１種以上の摩擦修正剤成分の不存在下における同一組成物に関連して決定される、請求項３０に請求される方法。